(57)【要約】【課題】ボルトへの装着作業が容易で、確実な抜け止め効果を有するボルトの脱落防止具を提供する。  【解決手段】脱落防止具１は、弾性合成樹脂で一体成形され、相互接合時にほぼ筒状をなしてボルトの小径軸部を抱持し得るように互いに結合分離自在の第１及び第２の抱持部材２，３と、これらを結合するヒンジ部４とを具備する。抱持部材２，３は、ほぼ半筒状で、相互接合時に互いに結合する係合部６ａ，６ｂと、外周側に突出する係合爪７とを具備する。係合爪７は、抱持部材２，３の先端側から基端側に向かって徐々に広がるように抱持部材２，３の外周から延出し、ボルト２１と共に第１の締結部材の挿通孔を縮径しつつ通過した後、拡径して当該挿通孔を通過不可能に構成される。【選択図】図１
2012077782.tif 000002
【特許請求の範囲】
【請求項１】
頭部と軸部とを有し、軸部には頭部側に小径軸部を、また先端側には小径軸部より大径のねじ部を具備し、軸部を第１の締結部材の挿通孔に遊挿し、ねじ部を第２の締結部材のねじ孔に螺合することによって、第２の締結部材に対して第１の締結部材を締め付け固定するボルトに装着され、当該ボルトが第１の締結部材から脱落するのを防止するためのものであって、
弾性合成樹脂で一体成形され、相互係合時にほぼ筒状をなして前記ボルトの小径軸部を抱持し得るように互いに係合分離自在の第１及び第２の抱持部材と、これら２つの抱持部材間を柔軟に結合するヒンジ部とを具備し、
前記第１及び第２の抱持部材は、ほぼ半筒状で、筒状に接合した状態で互いに分離可能に結合する係合部と、外周側に突出する係合爪とを具備し、
前記係合爪は、ボルトへの装着時に抱持部材の先端側から基端側に向かって徐々に広がるように抱持部材の外周から延出し、ボルトの軸部と共に前記第１の締結部材の挿通孔を縮径しつつ通過した後、拡径して当該挿通孔を通過不可能に構成されることを特徴とするボルトの脱落防止具。
【請求項２】
前記第１及び第２の抱持部材は、ボルトへの装着時に前記第１の締結部材の挿通孔を通過できない外径のフランジ部を基端側に有し、このフランジ部の一端同士が前記ヒンジ部で結合されることを特徴とする請求項１に記載のボルトの脱落防止具。
【発明の詳細な説明】
【技術分野】
【０００１】
本発明は、例えば筐体とそれの扉のような２つの部材の相互間を締め付けたり解放したりするために使用されるボルトが、解放時に部材から脱落しないように保持するための脱落防止具に関する。
【背景技術】
【０００２】
ボルトのくびれ部と、ネジ部の境目に軟質プラスチックのリングを付着させた脱落防止ボルト脱落防止手段を設けたボルトが特許文献１に記載されている。ボルトは、首下の頭部寄りにくびれ部を有し、くびれ部とねじ部の間の境目に、軟質プラスチックのリングが装着される。リングは、ボルトが挿入される挿通孔より大径であるが、ボルト挿入時に変形して、挿通孔に挿入できる大きさで、ボルトの自重だけでは抜けない寸法に構成される。また、リングは、ボルトの頭部寄りは、広く、平たく、中間はテーパーを持ち、ねじ部寄りは、縮径するスカート状である。これにより、リングは、径の小さい方から変形しつつ挿通孔に挿入される。挿入後は、径の大きい部分が孔に接するので抜けることが難しい構造となっている。
【先行技術文献】
【特許文献】
【０００３】
【特許文献１】特開平１１-０３０２２１号公報
【発明の概要】
【発明が解決しようとする課題】
【０００４】
上記従来のボルト脱落防止手段は、リングの軸部への挿入しやすさ、軸部からの抜けにくさ、また挿通孔への挿入しやすさ、挿通孔からの抜けにくさのバランスをとる設計が難しく、比較的頻繁にボルトを締めたり弛めたりする操作を繰り返すような使用状況の下では、確実な抜け止め効果を期待できないし、リングを軸部へ挿入するのに手間取る難点がある。
本発明は、ボルトへの装着作業が容易で、確実な抜け止め効果を有するボルトの脱落防止具を提供することを目的とする。
【課題を解決するための手段】
【０００５】
上記課題を解決するための、本発明の脱落防止具は、弾性合成樹脂で一体成形され、相互接合時にほぼ筒状をなしてボルトの小径軸部を抱持し得るように互いに結合分離自在の第１及び第２の抱持部材と、これら２つの抱持部材を結合するヒンジ部とを具備する。第１及び第２の抱持部材は、ほぼ半筒状で、相互接合時に互いに結合する係合部と、外周側に突出する係合爪とを具備する。係合爪は、抱持部材の先端側から基端側に向かって徐々に広がるように抱持部材の外周から弾性的に延出し、ボルトと共に第１の部材の挿通孔を縮径しつつ通過した後、拡径して当該挿通孔を通過不可能に構成される。
【発明の効果】
【０００６】
本発明の脱落防止具は、ボルトへの装着時に、ボルトを孔へ挿入する作業が不要で、側方から軸部にあてがって、２つの抱持部材を閉じ合わせるように結合するだけでよいので、装着が容易である。係合爪が撓むので、ボルトの挿入時には抵抗が少なく、しかも挿入後は広がって、確実にボルトを抜け止めすることができる。筐体に対して扉を締め付けたり解放したりするために使用されるボルトに装着するのに最適な脱落防止具である。
【図面の簡単な説明】
【０００７】
【図１】本発明に係る脱落防止具のボルトへの装着状態の斜視図である。
【図２】図１の脱落防止具の使用状態の断面図である。
【図３】図１の脱落防止具の展開状態の正面図である。
【図４】図１の脱落防止具の展開状態の平面図である。
【図５】図１の脱落防止具の展開状態の斜視図である。
【図６】図１の脱落防止具の使用状態の斜視図である。
【発明を実施するための形態】
【０００８】
図面を参照して本発明の実施の一形態を説明する。
図１，２において、脱落防止具１は、ボルト２１に装着して使用される。ボルト２１は、頭部２２と軸部２３とを有し、軸部２３には頭部側に小径軸部２３ａを、また先端側に小径軸部より大径のねじ部２３ｂを具備する。ボルトＢは、軸部２３を第１の部材Ｍ１の挿通孔Ｍａに遊挿し、ねじ部２３ｂを第２の部材Ｍ２のねじ孔Ｍｂに螺合することによって、第２の部材Ｍ２に対して第１の部材Ｍ１を締め付け固定するように用いられる。
【０００９】
脱落防止具１は、ボルト２１の頭部２２とねじ部２３ｂとの間の小径軸部２３ａの外周に装着される。すなわち、ボルト脱落防止具１は、弾性合成樹脂で一体成形され、第１及び第２の抱持部材２，３と、これら２つの抱持部材２，３間を結合するヒンジ部４とを具備する。
【００１０】
抱持部材２，３は、ほぼ半円筒状で、基端側にフランジ部５を有し、相互接合時にほぼ円筒状をなしてボルト２１の小径軸部２３ａを抱持し得る。ヒンジ部４は、フランジ部５の一端同士を結合している。フランジ部５は、ボルト２１への装着状態において、第１の部材Ｍ１の挿通孔Ｍａを通過できない外径である。抱持部材２，３の接合面には、互いに嵌合離脱自在の係合部６ａ，６ｂが形成される。また、抱持部材２，３は、相互接合時に外周側に突出する係合爪７を具備する。抱持部材２，３は、基端のフランジ部５をボルト２１の頭部２２側に、先端をねじ部２３ｂ側に配置して小径軸部２３ａを抱持する。
【００１１】
係合爪７は、抱持部材２，３の先端側から基端側に向かって徐々に広がるように抱持部材２，３の外周から弾性的に延出し、ボルトの軸部２３と共に、第１の締結部材Ｍ１の挿通孔Ｍａを縮径しつつ通過した後、拡径して当該挿通孔Ｍａを通過不可能に構成される。
【００１２】
このボルト脱落防止具１をボルト２１に装着するには、ヒンジ部４を撓ませて、第１の抱持部材２と第２の抱持部材３との間を開き、開いた抱持部材２，３を、フランジ部５をボルト２１の頭部２２側に配置して、軸部２３に側方からあてがった状態で、両者間を閉じ合わせる。これにより、係合部６ａ，６ｂが嵌合して互いに係合する。このボルト２１で第１の締結部材Ｍ１と第２の締結部材Ｍ２とを固定する場合には、挿通孔Ｍａに、軸部２３と共に、抱持部材２，３を挿通させる。このとき、脱落防止具１の係合爪は、弾性的に撓んで縮径し、挿通孔Ｍａを通過すると復元して抜け止め作用を行う。フランジ部５は、締結部材Ｍ１と頭部２２との間に介在し、両者の直接接触による傷付を防止し、また円滑な回転に資する。さらにボルト２１をねじ込むと、ねじ部２３ｂが締結部材Ｍ２のねじ孔Ｍｂに螺合し、２つの締結部材Ｍ１とＭ２とが締結される。ねじ部２３ｂを弛めれば、締結部材Ｍ１、Ｍ２間が解放されるが、この状態でも、ボルト２１は脱落防止具１によって、締結部材Ｍ１から抜け止めされるので、不用意に抜け落ちることがない。
【符号の説明】
【００１３】
１    脱落防止具
２    第１の抱持部材
３    第２の抱持部材
４    ヒンジ部
５    フランジ部
６ａ  係合部
６ｂ  係合部
７    係合爪
２１  ボルト
２２  頭部
２３  軸部
２３ａ  小径軸部
２３ｂ  ねじ部
Ｍ１    第１の締結部材
Ｍａ    挿通孔
Ｍ２    第２の締結部材
Ｍｂ    ねじ孔
【図１】
2012077782.tif 000003
【図２】
2012077782.tif 000004
【図３】
2012077782.tif 000005
【図４】
2012077782.tif 000006
【図５】
2012077782.tif 000007
【図６】
2012077782.tif 000008